(57)【要約】【課題】各色成分をストライプ配列した場合であっても、画像の位置ずれを認識しにくくできる表示装置及び表示方法を提供すること。【解決手段】入力部７０から入力された表示データを表示データ変換部８０において変換してから信号ドライバ３０に入力する。青色成分の階調データについては、その階調データに対応する輝度とその階調データに対応した座標の右隣に隣接する座標に対応した階調データに対応する輝度との平均輝度での表示がなされるように階調データの変換を行う。【選択図】図１
2010097071.tif 000002
【特許請求の範囲】
【請求項１】
複数の表示画素が行方向及び列方向に配列されるとともに前記各表示画素が互いに異なる色成分に対応した複数のサブ画素を有し、互いに等しい色成分に対応した前記サブ画素が前記列方向に沿って連続するように配置されている表示装置であって、
所定の色成分の階調データを前記表示画素に対応した座標毎に取得する階調データ取得部と、
前記階調データ取得部により取得された所定の色成分の階調データを、前記所定の色成分に対応したサブ画素の当該表示画素での配置位置側で且つ前記行方向に隣接した座標での前記所定の色成分の階調データに基づいて変換する階調データ変換部と、
前記階調データ変換部により変換された階調データに対応する表示信号を、当該座標に対応するとともに前記所定の色成分に対応したサブ画素に供給するデータ供給部と、
を具備することを特徴とする表示装置。
【請求項２】
前記各表示画素が、前記行方向の何れか一方の側から、赤色成分に対応したサブ画素、緑色成分に対応したサブ画素、青色成分に対応したサブ画素、の順に配置された３つのサブ画素を有し、
前記所定の色成分が前記青色成分であることを特徴とする請求項１に記載の表示装置。
【請求項３】
前記階調データ変換部は、対応するサブ画素での輝度が変換前の階調データに対応した輝度と前記隣接した階調データに対応した輝度との平均輝度になるように階調データを変換することを特徴とする請求項２に記載の表示装置。
【請求項４】
複数の表示画素が行方向及び列方向に配列されるとともに前記各表示画素が互いに異なる色成分に対応した複数のサブ画素を有し、互いに等しい色成分に対応した前記サブ画素が前記列方向に沿って連続するように配置されている表示装置の表示方法であって、
所定の色成分の階調データを前記表示画素に対応した座標毎に取得する階調データ取得ステップと、
前記階調データ取得ステップにより取得された所定の色成分の階調データを、前記所定の色成分に対応したサブ画素の当該表示画素での配置位置側で且つ前記行方向に隣接した座標での前記所定の色成分の階調データに基づいて変換する階調データ変換ステップと、
前記階調データ変換部により変換された階調データに対応する表示信号を、当該座標に対応するとともに前記所定の色成分に対応したサブ画素に供給するデータ供給ステップと、
を有することを特徴とする表示方法。
【発明の詳細な説明】
【技術分野】
【０００１】
本発明は、複数の表示画素が行方向及び列方向に配列されるとともに前記各表示画素が互いに異なる色成分に対応した複数のサブ画素を有し、互いに等しい色成分に対応した前記サブ画素が前記列方向に沿って連続するように配置されている表示装置及びその表示方法に関する。
【背景技術】
【０００２】
一般に、液晶表示装置等の表示装置においては、赤、緑、青の３色の光を適宜混色させることによってカラー表示を行っている。このようなカラー表示を表示装置の表示画素毎に行えるようにするための提案として、表示画素毎に、赤色成分に対応したサブ画素と、緑色成分に対応したサブ画素と、青色成分に対応したサブ画素とを、例えば行方向に配列し、各色成分に対応した画像を空間分割的に表示する提案が各種なされている。このような表示装置では、列方向に隣接する表示画素間で、互いに同じ色成分に対応するサブ画素が隣接するように配置されるストライプ配列が知られている（特許文献１）。
【特許文献１】特開２００５−１８００８号公報
【発明の開示】
【発明が解決しようとする課題】
【０００３】
上述したような表示装置では、赤色成分に対応したサブ画素と、緑色成分に対応したサブ画素と、青色成分に対応したサブ画素は、当該表示装置の表示領域において異なる座標上に配置されている。そして、所定の表示画素において、赤色成分、緑色成分、青色成分のうちの何れか１つのみに対応する色の表示を行う際には、表示画素における３つのサブ画素のうちの１つのサブ画素でのみ高い輝度が得られるように表示が行われ、残りの２つのサブ画素では低い輝度となるように表示が行われる。このため、上述したようなストライプ配列の場合、例えば、列方向に延伸する直線であって、当該直線の色が行毎に赤色、緑色、青色の順に繰り返し異なっているような直線を表示させるときには、当該直線がジグザグに表示されてしまうという問題があった。即ち、表示させたい画像に対して、実際に表示される画像で位置ずれが生じてしまうという問題があった。
【０００４】
本発明は、上記の事情に鑑みてなされたもので、各色成分をストライプ配列した場合であっても、画像の位置ずれを認識しにくくする表示装置及び表示方法を提供することを目的とする。
【課題を解決するための手段】
【０００５】
上記の目的を達成するために、本発明の第１の態様の表示装置は、複数の表示画素が行方向及び列方向に配列されるとともに前記各表示画素が互いに異なる色成分に対応した複数のサブ画素を有し、互いに等しい色成分に対応した前記サブ画素が前記列方向に沿って連続するように配置されている表示装置であって、所定の色成分の階調データを前記表示画素に対応した座標毎に取得する階調データ取得部と、前記階調データ取得部により取得された所定の色成分の階調データを、前記所定の色成分に対応したサブ画素の当該表示画素での配置位置側で且つ前記行方向に隣接した座標での前記所定の色成分の階調データに基づいて変換する階調データ変換部と、前記階調データ変換部により変換された階調データに対応する表示信号を、当該座標に対応するとともに前記所定の色成分に対応したサブ画素に供給するデータ供給部と、を具備することを特徴とする。
【０００６】
上記の目的を達成するために、本発明の第２の態様の表示方法は、複数の表示画素が行方向及び列方向に配列されるとともに前記各表示画素が互いに異なる色成分に対応した複数のサブ画素を有し、互いに等しい色成分に対応した前記サブ画素が前記列方向に沿って連続するように配置されている表示装置の表示方法であって、所定の色成分の階調データを前記表示画素に対応した座標毎に取得する階調データ取得ステップと、前記階調データ取得ステップにより取得された所定の色成分の階調データを、前記所定の色成分に対応したサブ画素の当該表示画素での配置位置側で且つ前記行方向に隣接した座標での前記所定の色成分の階調データに基づいて変換する階調データ変換ステップと、前記階調データ変換部により変換された階調データに対応する表示信号を、当該座標に対応するとともに前記所定の色成分に対応したサブ画素に供給するデータ供給ステップと、を有することを特徴とする。
【発明の効果】
【０００７】
本発明によれば、各色成分をストライプ配列した場合であっても、画像の位置ずれを認識しにくくすることができる。
【発明を実施するための最良の形態】
【０００８】
以下、図面を参照して本発明の実施形態を説明する。  
図１は、本発明の一実施形態に係る表示装置の一例としての液晶表示装置の構成を示す図である。図１に示す液晶表示装置は、表示パネル１０と、走査ドライバ２０と、信号ドライバ３０と、コモン信号生成回路４０と、タイミングジェネレータ５０と、電源回路６０と、入力部７０と、表示データ変換部８０とを有している。
【０００９】
表示パネル１０は、一対の基板間に液晶を挟持しているとともに、図２に示すように、表示領域にカラー表示可能な複数の表示画素が行方向及び列方向に配列されている。各表示画素は、赤色成分に対応したサブ画素（以下、Ｒ画素）と、緑色成分に対応したサブ画素（以下、Ｇ画素）と、青色成分に対応したサブ画素（以下、Ｂ画素）とから構成されている。また、各表示画素では、行方向に沿って、所定の側からＲ画素、Ｇ画素、Ｂ画素の順に配列するように、３つのサブ画素が配置されている。即ち、Ｒ画素とＢ画素との間にＧ画素を挟むように、行方向に沿って、３つのサブ画素が配置されている。また、列方向に隣接する表示画素間では、互いに等しい色成分に対応したサブ画素が隣接するように配置されている。即ち、前記表示パネル１０は、列方向に等しい色成分のサブ画素が連続配列される、所謂、ストライプ配列となるように、各表示画素または各サブ画素が配置されている。
【００１０】
なお、表示パネル１０は、一対の基板のうちの一方の基板上に、行方向に延伸するように配設された複数の走査ラインと、列方向に延伸するように配設された複数の信号ラインとが形成されているとともに、走査ラインと信号ラインとの交点毎に上述したサブ画素が１つ対応するように画素電極が形成されている。各画素電極は当該画素電極に対応した薄膜トランジスタ（ＴＦＴ）を介して当該行に対応する走査ライン及び当該列に対応する信号ラインに接続されている。また、他方の基板上には、各サブ画素間で等しい電位に設定される共通電極が各画素電極に対向するように形成されているとともに、サブ画素毎に当該サブ画素に対応した色成分のカラーフィルタが形成されている。
【００１１】
図３は、１つのサブ画素の等価回路を示す図である。図３に示す走査ラインＧにはＴＦＴ１１のゲート電極が接続され、信号ラインＳにはＴＦＴ１１のドレイン電極が接続されている。さらに、ＴＦＴ１１のソース電極には画素電極が接続されている。そして、画素電極と対向するように共通電極が配され、画素電極と共通電極との間に液晶が充填（挟持）されている。さらに、このようにして構成される液晶容量ＣＬｃｄには蓄積容量Ｃｃｓが並列接続されている。このような構成において、画素電極と共通電極との間に電圧が印加されると、この電圧に応じて画素電極と共通電極との間に充填された液晶の配向状態が変化して液晶層中における光の透過率が変化する。これにより、図３に示すサブ画素の背面に配置された図示しない光源からの光の透過状態が変化してサブ画素毎の表示が行われる。そして、各サブ画素は、カラーフィルタによって、赤色、緑色、青色のうちで対応した色成分の光のみを透過させる。表示パネル１０は、このような空間分割された３種のサブ画素からの光を混色させることによって各表示画素においてカラー表示が可能なように構成されている。
【００１２】
走査ドライバ２０は、表示パネル１０における各走査ラインＧが接続されるものであり、例えばタイミングジェネレータ５０から出力される垂直制御信号Ｖｓｉｇや、水平制御信号Ｈｓｉｇに基づいて、各走査ラインに各ＴＦＴ１１を行毎に所定期間だけオン状態にする走査信号を出力する。
【００１３】
信号ドライバ３０は、表示パネル１０における各信号ラインＳが接続されるものであり、入力部７０を介して外部から入力されて詳細は後述する表示データ変換部８０によって変換された赤色、緑色、青色の各色成分に対応した階調データを例えばタイミングジェネレータ５０から出力される水平制御信号Ｈｓｉｇに基づいて１行分の表示画素単位で取り込み、この取り込んだ各階調データに対応する表示信号Ｖｓを生成して、それぞれを対応する信号ラインＳに供給する。また、信号ドライバ３０は、フレームの開始とともにタイミングジェネレータ５０から入力される極性反転制御信号Ｐｏｌに応じて表示信号Ｖｓの電圧レベルをある中心電圧を中心として反転させる。即ち、信号ドライバ３０は、１画面分の表示データに対応した表示信号を表示パネル１０に供給する毎に液晶に印加される電圧の極性が反転するように表示信号Ｖｓの電圧レベルを切り換えるように構成されている。
【００１４】
コモン信号生成回路４０は、共通電極に接続されるものであり、フレームの開始とともにタイミングジェネレータ５０から入力される極性反転制御信号Ｐｏｌに対応させて、電源回路６０によって供給される２種類の共通電圧ＶｃｏｍＨ、ＶｃｏｍＬを交互に選択することでコモン信号Ｖｃｏｍを生成して共通電極に供給する。
【００１５】
タイミングジェネレータ５０は、入力部７０から入力される垂直同期信号に基づいて上述したような垂直制御信号Ｖｓｉｇや、極性反転制御信号Ｐｏｌを生成するとともに、入力部７０から入力される水平同期信号に基づいて水平制御信号Ｈｓｉｇを生成し、生成した各制御信号をそれぞれ供給する。
【００１６】
電源回路６０は、走査ドライバ２０、信号ドライバ３０、コモン信号生成回路４０における各種駆動電圧を生成して供給する。この電源回路６０は、電源電圧Ｖｃｃを昇圧する昇圧回路等を備えて構成されている。
【００１７】
入力部７０には、外部から表示データ（各色成分に対応した階調データ）、垂直同期信号、水平同期信号等からなる映像データが入力され、入力された表示データを表示データ変換部８０へ、入力された垂直及び水平同期信号をタイミングジェネレータ５０へ、それぞれ出力する。表示データ変換部８０は、入力部７０から入力された表示データの変換を行う。この表示データ変換部８０の動作の詳細については後述する。
【００１８】
次に、図１のような構成を有する表示装置の動作について説明する。  
映像データが入力部７０に供給されると、当該映像データに含まれる垂直同期信号及び水平同期信号を入力部７０からタイミングジェネレータ５０に供給する。タイミングジェネレータ５０は、入力部７０から供給される垂直同期信号に基づいて極性反転制御信号Ｐｏｌ及び垂直制御信号Ｖｓｉｇを生成する。そして、タイミングジェネレータ５０によって生成された垂直制御信号Ｖｓｉｇは走査ドライバ２０及び信号ドライバ３０に出力され、極性反転制御信号Ｐｏｌは信号ドライバ３０、コモン信号生成回路４０、及び電源回路６０に出力される。また、タイミングジェネレータ５０は、入力部７０から供給される水平同期信号に基づいて水平制御信号Ｈｓｉｇを生成する。そして、タイミングジェネレータ５０によって生成された水平制御信号Ｈｓｉｇは走査ドライバ２０及び信号ドライバ３０に出力される。
【００１９】
走査ドライバ２０に垂直制御信号Ｖｓｉｇが入力されると、走査ドライバ２０は当該フレームにおける走査ラインの走査を開始する。また、信号ドライバ３０に垂直制御信号Ｖｓｉｇが入力されると、信号ドライバ３０は当該フレームにおける表示データに対応した表示信号の信号ラインへの供給を開始する。
【００２０】
各フレームにおいて走査ドライバ２０は、１行分のＴＦＴ１１毎に各ＴＦＴ１１をオン状態とするために、水平制御信号Ｈｓｉｇに同期させて、最前段の走査ラインから最後段の走査ラインまで順に、走査ラインに出力する走査信号の電圧レベルを所定の期間だけゲートオフ電圧ＶＧＬからゲートオン電圧ＶＧＨに切り換える。
【００２１】
ここで、映像データに含まれる表示データは、入力部７０から表示データ変換部８０に供給される。表示データ変換部８０は入力部７０から供給された表示データに対して所定の変換を行って信号ドライバ３０に出力する。そして、信号ドライバ３０は、走査ドライバ２０が走査信号によってＴＦＴ１１をオン状態にするサブ画素に対応した変換後の表示データに基づく表示信号Ｖｓを信号ラインＳに供給する。
【００２２】
コモン信号生成回路４０は、互いに異なる電圧レベルの共通電圧ＶｃｏｍＬとＶｃｏｍＨとを、タイミングジェネレータ５０から供給される極性反転制御信号Ｐｏｌに対応させて切り換えることにより交互に共通電極に印加する。ここで、コモン信号生成回路４０は、正極期間（Ｖｓ＞Ｖｃｏｍとする期間）ではＶｃｏｍＬを供給し、負極期間（Ｖｓ＜Ｖｃｏｍとする期間）ではＶｃｏｍＨを供給する。即ち、コモン信号生成回路４０は、コモン信号Ｖｃｏｍの振幅中心電圧に対して正極側の電圧レベルであるＶｃｏｍＨを、液晶に印加される電圧が負極性になる表示信号を信号ドライバ３０が信号ラインに供給する期間である負極期間に出力する。また、コモン信号生成回路４０は、負極側の電圧レベルであるＶｃｏｍＬを、液晶に印加される電圧が正極性になる表示信号を信号ドライバ３０が信号ラインに供給する期間である正極期間に出力する。
【００２３】
そして、各サブ画素においては、対応するＴＦＴ１１に走査信号としてゲートオン電圧ＶＧＨが供給された際にオン状態になったＴＦＴ１１を介して信号ラインＳから画素電極に表示信号Ｖｓが印加されるととともに、その後、走査信号としてゲートオフ電圧ＶＧＬが供給されることにより画素電極に表示信号Ｖｓが画素電極電位Ｖｓ’として保持される。これにより、画素電極電位Ｖｓ’とコモン信号Ｖｃｏｍとの差に応じた電圧が液晶に印加されるとともに、この電圧に応じて液晶の配向状態が変化して液晶層中における光の透過率が変化し、当該サブ画素での輝度表示（階調表示）が行われる。
【００２４】
なお、液晶に印加された電圧は次の表示信号Ｖｓの印加時まで（即ち、次のフレームにおいてＴＦＴ１１が再びオン状態となるまで）、補助容量Ｃｃｓに蓄積された電荷によって保持される。
【００２５】
以下、表示データ変換部８０による表示データの変換について詳述する。上述したように、本実施形態においては表示画素毎の空間分割的なカラー表示が可能である。そして、これに伴って表示データも、各表示画素に対応した座標毎に、Ｒ画素の表示に係る階調データ（以下、Ｒデータ）と、Ｇ画素の表示に係る階調データ（以下、Ｇデータ）と、Ｂ画素の表示に係る階調データ（以下、Ｂデータ）とから構成されている。
【００２６】
なお、信号ドライバ３０に供給される階調データ、即ち各階調レベルＤとサブ画素での表示輝度Ｌ（Ｄ）との関係は、以下の関係式、即ち（数１）によって予め設定されているものとする。  
(数１）  
Ｌ（Ｄ）＝（Ｄ/Ｄｍａｘ）γ×Ｌ（Ｄｍａｘ）  
ここで、例えば、階調データを８ビットのデータとした場合には、Ｄ＝０，１，・・・，２５５であり、Ｄｍａｘ＝２５５であり、Ｌ（Ｄｍａｘ）は階調データが最大値の２５５であるときの輝度である。また、γは階調データにおける各階調レベルＤとサブ画素での表示輝度Ｌ（Ｄ）との関係を示す係数であり、人間の視感度に基づくと大凡２．２に設定されていることが好ましい。
【００２７】
そして、このような関係式に従った輝度が各サブ画素で得られるように、さらに、各階調データＤに対応した表示信号Ｖｓ（画素電極電位Ｖｓ’）が信号ドライバ３０に予め設定されているものとする。
【００２８】
本実施形態においては、入力部７０からの表示データを表示データ変換部８０において以下のように変換した後、変換によって新たに生成した表示データを信号ドライバ３０に供給する。そして、信号ドライバ３０はこの新たな表示データに対応した表示信号Ｖｓを信号ラインＳに供給する。
【００２９】
（数２）  
Ｄ'Ｒ（ｉ,ｊ）＝ＤＲ（ｉ,ｊ）
（数３）  
Ｄ'Ｇ（ｉ,ｊ）＝ＤＧ（ｉ,ｊ）  
（数４）  
Ｄ'Ｂ（ｉ,ｊ）＝Ｄｍａｘ［｛（ＤＢ（ｉ,ｊ）/Ｄｍａｘ）γ｝/２＋｛（ＤＢ（ｉ,ｊ＋１）/Ｄｍａｘ）γ｝/２］１/γ 
ここで、ＤＲ（ｉ,ｊ）は変換前のＲデータを示し、Ｄ'Ｒ（ｉ,ｊ）は変換後のＲデータを示している。また、ＤＧ（ｉ,ｊ）は変換前のＧデータを示し、Ｄ'Ｇ（ｉ,ｊ）は変換後のＧデータを示している。また、ＤＢ（ｉ,ｊ）は変換前のＢデータを示し、Ｄ'Ｂ（ｉ,ｊ）は変換後のＢデータを示している。さらに、（ｉ,ｊ）はｉ行ｊ列目の表示画素に対応したサブ画素に入力される階調データであることを示している。
【００３０】
（数２）、（数３）に示すように、表示データ変換部８０は、ＲデータとＧデータについては入力部７０から入力された階調データをそのまま信号ドライバ３０に供給する。
【００３１】
また、（数４）に示すように、Ｂデータについては、入力部７０から入力される所定の座標（ｉ,ｊ）に対するオリジナルデータとしてのＢデータとこの所定の座標（ｉ,ｊ）の右側の座標（ｉ,ｊ＋１）に対するオリジナルデータとしてのＢデータとに基づいて、所定の座標（ｉ,ｊ）の表示画素に対応する新たなＢデータを導出し、信号ドライバ３０に供給する。
【００３２】
即ち、所定の座標（ｉ,ｊ）に対するオリジナルデータとしてのＢデータにより得られる輝度と、この所定の座標（ｉ,ｊ）の右側の座標（ｉ,ｊ＋１）に対するオリジナルデータとしてのＢデータにより得られる輝度との平均輝度が得られる階調データを導出し、当該導出した新たなＢデータを座標（ｉ,ｊ）でのＢデータとして信号ドライバ３０に供給する。なお、表示領域の右端における表示画素に対応するＢ画素については、その右側には表示画素が存在しないため、以下の何れかの処理を行う。  
（１）  入力部７０から入力されたＢデータをそのまま信号ドライバ３０に供給する  
（２）  入力部７０から入力されたＢデータに対応した輝度とＢデータ＝０（最小の階調レベル）に対応した輝度との平均輝度が得られる階調データを信号ドライバ３０に供給する  
（３）  Ｂデータ＝０に対応した表示とする
以下、上述した本実施形態の手法の具体例をデータ変換しない場合と比較しながら説明する。なお、表示パネル１０は、図２に示した画素配列を有するものとする。また、入力部７０から表示データ変換部８０に入力される表示データを各座標（ｉ，ｊ）に対応させて（ＤＲ,ＤＧ,ＤＢ）として表した場合に、座標（１,１）＝（０,０,０）、座標（１,２）＝（０,０,０）、座標（１,３）＝（０,０,０）、座標（１,４）＝（０,０,０）、座標（１,５）＝（０,０,０）、座標（１,６）＝（０,０,０）、座標（２,１）＝（０,０,０）、座標（２,２）＝（０,０,０）、座標（２,３）＝（２５５,０,０）、座標（２,４）＝（２５５,０,０）、座標（２,５）＝（０,０,０）、座標（２,６）＝（０,０,０）、座標（３,１）＝（０,０,０）、座標（３,２）＝（０,０,０）、座標（３,３）＝（０,２５５,０）、座標（３,４）＝（０,２５５,０）、座標（３,５）＝（０,０,０）、座標（３,６）＝（０,０,０）、座標（４,１）＝（０,０,０）、座標（４,２）＝（０,０,０）、座標（４,３）＝（０,０,２５５）、座標（４,４）＝（０,０,２５５）、座標（４,５）＝（０,０,０）、座標（４,６）＝（０,０,０）、座標（５,１）＝（０,０,０）、座標（５,２）＝（０,０,０）、座標（５,３）＝（０,０,０）、座標（５,４）＝（０,０,０）、座標（５,５）＝（０,０,０）、座標（５,６）＝（０,０,０）、座標（６,１）＝（０,０,０）、座標（６,２）＝（０,０,０）、座標（６,３）＝（０,０,０）、座標（６,４）＝（０,０,０）、座標（６,５）＝（０,０,０）、座標（６,６）＝（０,０,０）のように、各座標に対して表示データが入力されるものとする。なお、ｉは行番号、ｊは列番号を示している。
【００３３】
このような表示データが入力され、表示データ変換部８０がデータ変換を一切実行しない場合には、図４に示すような表示がなされる。即ち、座標（２，３）、座標（２，４）、座標（３，３）、座標（３，４）、座標（４，３）及び座標（４，４）における表示画素で比較的高輝度表示が得られ、他の表示画素では比較的低輝度表示が得られる。そして、座標（２，３）及び座標（２，４）における表示画素では当該表示画素の左端に位置するＲ画素のみで高輝度表示が得られ、座標（３，３）及び座標（３，４）における表示画素では当該表示画素の中央に位置するＧ画素のみで高輝度表示が得られ、座標（４，３）及び座標（４，４）における表示画素では当該表示画素の右端に位置するＢ画素のみで高輝度表示が得られることとなる。従って、このような場合には、列方向において同じ位置にあるべき画像が傾いた画像として表示されることになり、画像の位置ずれが認識されやすいものとなってしまう。
【００３４】
一方、表示データ変換部８０が、Ｂデータに対して（数４）に従った変換を実行すると、各座標（ｉ，ｊ）に対する新たな表示データ（ｄ'Ｒ,ｄ'Ｇ,ｄＢ'）は、座標（１,１）＝（０,０,０）、座標（１,２）＝（０,０,０）、座標（１,３）＝（０,０,０）、座標（１,４）＝（０,０,０）、座標（１,５）＝（０,０,０）、座標（１,６）＝（０,０,０）、座標（２,１）＝（０,０,０）、座標（２,２）＝（０,０,０）、座標（２,３）＝（２５５,０,０）、座標（２,４）＝（２５５,０,０）、座標（２,５）＝（０,０,０）、座標（２,６）＝（０,０,０）、座標（３,１）＝（０,０,０）、座標（３,２）＝（０,０,０）、座標（３,３）＝（０,２５５,０）、座標（３,４）＝（０,２５５,０）、座標（３,５）＝（０,０,０）、座標（３,６）＝（０,０,０）、座標（４,１）＝（０,０,０）、座標（４,２）＝（０,０,１８６）、座標（４,３）＝（０,０,２５５）、座標（４,４）＝（０,０,１８６）、座標（４,５）＝（０,０,０）、座標（４,６）＝（０,０,０）、座標（５,１）＝（０,０,０）、座標（５,２）＝（０,０,０）、座標（５,３）＝（０,０,０）、座標（５,４）＝（０,０,０）、座標（５,５）＝（０,０,０）、座標（５,６）＝（０,０,０）、座標（６,１）＝（０,０,０）、座標（６,２）＝（０,０,０）、座標（６,３）＝（０,０,０）、座標（６,４）＝（０,０,０）、座標（６,５）＝（０,０,０）、座標（６,６）＝（０,０,０）となり、図５に示すような表示がなされる。即ち、表示データ変換部８０がデータ変換を一切実行しない場合と比較すると、座標（４，２）の表示画素ではＢ画素の輝度が高くなるように表示されるととともに、座標（４，４）の表示画素におけるＢ画素の輝度が低くなるように表示される。このため、列方向において、青色成分からなる画像の中心位置が赤色成分からなる画像の中心位置に近づき、画像の位置ずれが認識しにくくなる。ただし、青色成分からなる画像を意図的にぼやけさせているため、青色成分からなる画像の解像度については低下する。しかしながら、可視光の短波長側（即ち青側）における視感度は低いので、この解像度の低下による実質的な画質への影響は小さい。
【００３５】
なお、上述の実施形態では、各表示画素において、Ｒ画素、Ｇ画素、Ｂ画素が、左側から順に配列され、表示データ変換部８０が、座標（ｉ,ｊ）におけるＢデータに対してその右側の座標（ｉ,ｊ＋１）に対応するＢデータに基づいて変換する場合について説明したが、各表示画素において、Ｒ画素、Ｇ画素、Ｂ画素が、右側から順に配列され、表示データ変換部８０が、座標（ｉ,ｊ）におけるＢデータに対してその左側の座標（ｉ,ｊ−１）に対応するＢデータに基づいて変換する構成としてもよい。即ち、各表示画素において、Ｒ画素、Ｇ画素、Ｂ画素が、右側から順に配列される場合には、（数５）に従ってＢデータを変換する構成としてもよい。
【００３６】
（数５）  
Ｄ'Ｂ（ｉ,ｊ）＝Ｄｍａｘ［｛（ＤＢ（ｉ,ｊ）/Ｄｍａｘ）γ｝/２＋｛（ＤＢ（ｉ,ｊ−１）/Ｄｍａｘ）γ｝/２］１/γ 
また、上述の例では全ての表示画素をＲ画素、Ｇ画素、Ｂ画素の３つのサブ画素から構成しているが、図６に示すように、右端の表示画素についてはＢ画素を除去しておくようにしても良い。
【００３７】
以上実施形態に基づいて本発明を説明したが、本発明は上述した実施形態に限定されるものではなく、本発明の要旨の範囲内で種々の変形や応用が可能なことは勿論である。例えば、上述した実施形態では表示装置が液晶表示装置である例について説明したが、必ずしも液晶表示装置に限定するものではない。即ち、１つの表示画素が例えばＲ画素、Ｇ画素、Ｂ画素の３つのサブ画素から構成され、且つこの表示画素が２次元に配列された表示パネルを有する各種の表示装置に本実施形態の手法を適用できる。
【００３８】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００３９】
【図１】本発明の一実施形態に係る表示装置の一例としての液晶表示装置の構成を示す図である。
【図２】本発明の一実施形態における表示パネルの画素配列について示した図である。
【図３】１つのサブ画素の等価回路を示す図である。
【図４】従来の手法を用いた場合に表示される画像の例を示した図である。
【図５】本発明の一実施形態の手法を用いた場合に表示される画像の例を示した図である。
【図６】本発明の一実施形態に係る表示装置を備える表示装置の変形例を示した図である。
【符号の説明】
【００４０】
１０…表示パネル、２０…走査ドライバ、３０…信号ドライバ、４０…コモン信号生成回路、５０…タイミングジェネレータ、６０…電源回路、７０…入力部、８０…表示データ変換部
【図１】
2010097071.tif 000003
【図２】
2010097071.tif 000004
【図３】
2010097071.tif 000005
【図４】
2010097071.tif 000006
【図５】
2010097071.tif 000007
【図６】
2010097071.tif 000008